(57)【要約】  【課題】  ハムや食パンなどの各種スライス対象物を一般家庭でも包丁を用いて手軽に且つ均一な厚さに薄切りでき、しかも切り分けたスライス対象物をスライス補助具から自動的に排出可能となしたスライス補助具を安価に提供する。  【解決手段】  スライス対象物２を左右方向にスライド自在に載置する載置台１０と、包丁３を上下方向に案内する案内面２２ａを右側面に形成した前後１対の包丁案内脚２３を有し、スライス対象物２を挿通可能に載置台１０の右側端に立設固定した門型の包丁案内部材２０と、載置台１０よりも右側上方へ突出し、載置台１０から右側へのスライス対象物２の突出量を規制するストッパー４１と、包丁３の下端でストッパー４１が下方へ押圧されたときに、ストッパー４１の上端側が右側へ傾動するように載置台１０に対してストッパー４１を弾性支持する板バネ４２とを備えた。【選択図】  図６
2005288567.tif 000002
【特許請求の範囲】
【請求項１】
塊状のスライス対象物を包丁で薄切りするときに使用するスライス補助具であって、
前記スライス対象物を左右方向にスライド自在に載置する載置台と、
前記包丁を上下方向に案内する案内面を一側面に形成した前後１対の包丁案内脚を有し、スライス対象物を挿通可能に載置台の一側端に立設固定した門型の包丁案内部材と、
前記載置台よりも一側方の上方へ突出し、包丁案内部材を挿通して載置台から一側方へ突出したスライス対象物の先端部を受け止めて、載置台から一側方へのスライス対象物の突出量を規制するストッパーと、
前記包丁の下端でストッパーが下方へ押圧されたときに、ストッパーの上端側が一側方へ傾動するように載置台に対してストッパーを弾性支持する弾性部材と、
を備えたことを特徴とするスライス補助具。
【請求項２】
前記ストッパーの両側に、載置台の一側面との間に包丁の先端部を逃がす溝部を有し、載置台から一側方へ突出したスライス対象物を下側から受け止める受部を形成した請求項１記載のスライス補助具。
【請求項３】
前記載置台から一側方へのストッパーの突出量を調整する厚さ調整手段を設けた請求項１又は２記載のスライス補助具。
【請求項４】
前記門型の包丁案内部材に代えて、載置台の一端部にスライス対象物が挿通可能な間隔をあけて門柱状の前後１対の包丁案内部材を立設固定した請求項１〜３のいずれか１項記載のスライス補助具。
【請求項５】
前記載置台にスライス対象物を前後方向に位置規制しつつ左右方向にスライド自在に案内する前後１対の案内壁を設けた請求項１〜４のいずれか１項記載のスライス補助具。
【請求項６】
前記前後１対の案内壁を相互に接近する方向と相互に離間する方向とに移動自在に連動連結して、両案内壁の間隔を調整する間隔調整手段を設けた請求項５記載のスライス補助具。
【請求項７】
前記包丁案内部材と案内壁の少なくとも一方を載置台に対して着脱自在に設けた請求項１〜６のいずれか１項記載のスライス補助具。
【請求項８】
前記包丁案内部材を載置台に着脱自在に取り付けるための取付構造として、
前記載置台の先端部における前後の隅部に縦方向へ延びる嵌合穴形成部を設け、嵌合穴形成部の内側に下側へ行くにしたがって横断面積が小さくなるように嵌合穴を形成し、嵌合穴成形部の途中部に縦方向に延びる１対のガイド突部を相対向して突出形成し、嵌合穴成形部の下端に載置台の下端よりも一段高い段差部を形成し、
前記包丁案内部材の下端部に嵌合穴形成部の嵌合穴に内嵌する差込部を設け、差込部の上端部に嵌合穴形成部の上面に係合する係合部を形成し、差込部の一側部にその基部から下端部まで延びる割り溝を形成して、割り溝により差込部を本体部と係止片とに分割し、本体部にガイド突部に凹凸嵌合するガイド溝部を縦方向に形成し、係止片の下端部に嵌合穴形成部の下面に係合する顎部を形成した、
請求項１〜７のいずれか１項記載のスライド補助具。
【請求項９】
前記嵌合穴形成部を、２つの隅部をそれぞれ挟む載置台の２つの壁部と、該隅部に対面させて載置台の内側に配置した隔壁部とで構成し、該隅部に縦方向に延びる開口部を形成して、開口部に臨む載置台の２つの壁部の端部でガイド突部を形成した請求項８記載のスライド補助具。
【発明の詳細な説明】
【技術分野】
【０００１】
この発明は、ハム、ソーセージ、チーズ、食パン、レモンなどの食品類を包丁で均一に薄切りするのに好適なスライス補助具に関する。
【背景技術】
【０００２】
近年、ハム等の加工食肉においては１ｍｍ以下の厚さにスライスされたものが各メーカーより多数上市され、その食感の軽さからサラダ用やサンドイッチ用に多く消費されている。一方、歳暮、中元等のギフト市場では、従来ハム等の加工食肉が安定して市場を確保しているが、ギフト商品として購入されるハム類は１個の塊の状態で贈られることが圧倒的に多く、これらは各家庭で調理する際に均一に薄くスライスすることが難しいために、盛り付けの美観や、食感に劣って今ひとつ食材として多種の料理に利用しにくい状態であり、このことが贈答品として送られたハム等の加工食肉の利用価値を著しく下げる要因となっている。
【０００３】
スライサーとしては、板状部材の途中部に幅方向に延びる細長い開口部を形成し、刃先が板状部材の上面よりも上側に突出するように開口部に対して刃物を斜めに固定し、板状部材の上面に野菜などを押し当ててスライドさせることで、刃物によりスライスや千切りが出来るように構成した、野菜用のスライサーがカタログ販売等で多く市場に出回っているが、これらの殆どが食材を刃に押し当てて切る押し切りの方法を採用しており、固くて張りのある大根，きゅうり、キャベツ等のスライスには適しているが、繊維が多く弾力のあるハム等の加工食肉や柔らかい食パンのスライスには適さないものであった。
【０００４】
また、前記ハム等の加工食肉や柔らかい食パン等のスライスに適した、刃物をスライス対象物に対してこするように動かす引き切りが出来るスライス用器具としては、一定の厚さに切れるように包丁の刃部分の側面に、先端部約３分の１を残して平行に、食品の端面に当てるガイドを設けたガイド付き包丁が報告されている（例えば、特許文献１参照。）。この包丁を用いてスライス対象物をスライスする際には、ガイドをスライス対象物の端面に押し当てて包丁を動かして切ることになるが、この時ガイドもスライス対象物の面をこすることになり、薄切りのハム等は破れたりすることもあるし、スライス対象物の端面を案内にして切るため柔らかいものや極端に薄いものにはスライスし難いという問題があった。
【０００５】
また、包丁をスライス対象物にあてがうときにはガイドはすでにスライス対象物の端面に当たっていなくてはならず、ガイドはその端縁が包丁の刃を１〜２ｃｍ程度覆うように刃より突出して取り付けられており、スライス対象物をスライスする際に刃より先にガイドがまな板に当たるため、前記ガイドでカバーされていない包丁の先端部約３分の１を使って切り離しを行わなければならず、最後の部分で厚みを揃えにくいという問題があった。特に高さの低いスライス対象物を切る際にはガイドがすぐにまな板に達してしまうため厚みを揃えるガイドとしての働きを充分果たし得ない構造になっている。また、切り離しを行うため、刃先の３分の１程度がガイドから出ている必要があるため、必然的に刃渡りの大きな包丁にならざるを得ず、スライス専用として新たに購入するには高価なものになってしまうという問題も有り、大小、硬軟の違いのある全てのスライス対象物に対して１種類の刃物で対応しなければならないという問題もあった。
【０００６】
このような課題を解決するため、例えば特許文献２、３には、スライス対象物を左右方向にスライド自在に載置する載置台と、載置台の右端部に立設固定した門型の包丁案内部材と、載置台よりも右方で且つ上方へ突出し、包丁案内部材を挿通して載置台から右方へ突出したスライス対象物の右端部を受け止めて、載置台から右方へのスライス対象物の突出量を規制するストッパーとを備え、ハム等のスライス対象物を載置台に載せて、その右端部がストッパーに当接するまで載置台から右方へ突出させた状態で、包丁案内脚の右面に包丁を当て付けて、包丁案内脚に沿って包丁を上下方向へ案内しながら、包丁でスライス対象物をスライス可能となしたスライス補助具が記載されている。
【０００７】
【特許文献１】特開平１０−１６５６６５号公報
【特許文献２】実開昭６１−９６８４３号公報
【特許文献３】実開昭５５−７２１７号公報
【発明の開示】
【発明が解決しようとする課題】
【０００８】
前記特許文献２、３に記載のスライス補助具では、ハムや食パンなどのスライス対象物を一般家庭でも包丁を用いて手軽に且つ均一な厚さに薄切りできるものの、切り分けた薄肉のスライス対象物が、スライス後の残りのスライス対象物とストッパー間に挟まった状態となるので、連続してスライスするときに、切り分けたスライス対象物をいちいち指で摘まんで取り除く必要があり、その作業が煩雑であるという問題があった。
【０００９】
また、特許文献２、３に記載のスライス補助具では、載置台の上面に形成したＶ溝によりスライス対象物を前後方向に位置合わせする関係上、スライス対象物のホールド性を十分に確保できず、スライスしているときにスライス対象物の中心がずれて上手に薄切りできないことがあること、食パンやチーズなど直方体状の食品等を上手く設置することができず汎用性に欠けること、などの問題がある。
【００１０】
更に、スライス対象物をより一層薄肉にスライスする場合には、載置台に対する包丁案内部材の取付強度を十分に確保する必要があるが、特許文献２、３に記載のスライス補助具のように、載置台に対して包丁案内部材を単に凹凸嵌合させたり、フック等で係止させたりしただけでは、載置台に対する包丁案内部材の微妙な横揺れを防止することができず、スライス対象物を綺麗に薄切りにできないという問題がある。
【００１１】
本発明の目的は、ハムや食パンなどの各種スライス対象物を一般家庭でも包丁を用いて手軽に且つ均一な厚さに薄切りでき、しかも切り分けたスライス対象物をスライス補助具から自動的に排出可能となして、手を止めることなく連続的にスライス可能なスライス補助具を安価に提供することである。
【課題を解決するための手段】
【００１２】
本発明に係るスライス補助具は、塊状のスライス対象物を包丁で薄切りするときに使用するスライス補助具であって、前記スライス対象物を左右方向にスライド自在に載置する載置台と、前記包丁を上下方向に案内する案内面を一側面に形成した前後１対の包丁案内脚を有し、スライス対象物を挿通可能に載置台の一側端に立設固定した門型の包丁案内部材と、前記載置台よりも一側方の上方へ突出し、包丁案内部材を挿通して載置台から一側方へ突出したスライス対象物の先端部を受け止めて、載置台から一側方へのスライス対象物の突出量を規制するストッパーと、前記包丁の下端でストッパーが下方へ押圧されたときに、ストッパーの上端側が一側方へ傾動するように載置台に対してストッパーを弾性支持する弾性部材とを備えた。
【００１３】
このスライス補助具を用いてハム等のスライス対象物を包丁でスライスする際には、載置台上にスライス対象物をセットして、先端部がストッパーに当接するまでスライス対象物を門型の包丁案内部材に挿通させて載置台の一側方へ突出させ、この状態で包丁の側面を包丁案内部材の案内面に密接させながら包丁でスライス対象物をスライスすることになる。そして、スライス完了後、そのまま包丁の下端でストッパーを下側へ押し下げることで、ストッパーの上端が一側方へ傾斜して切り分けたスライス対象物が自動的にスライス補助具から排出されることになる。
【００１４】
ここで、前記ストッパーの両側に、載置台の一側面との間に包丁の先端部を逃がす溝部を有し、載置台から一側方へ突出したスライス対象物を下側から受け止める受部を形成すること、前記載置台から一側方へのストッパーの突出量を調整する厚さ調整手段を設けること、前記門型の包丁案内部材に代えて、載置台の一端部にスライス対象物が挿通可能な間隔をあけて門柱状の前後１対の包丁案内部材を立設固定すること、前記載置台にスライス対象物を前後方向に位置規制しつつ左右方向にスライド自在に案内する前後１対の案内壁を設けること、前記前後１対の案内壁を相互に接近する方向と相互に離間する方向とに移動自在に連動連結して、両案内壁の間隔を調整する間隔調整手段を設けること、前記包丁案内部材と案内壁の少なくとも一方を載置台に対して着脱自在に設けること、などが好ましい実施例である。
【００１５】
また、前記包丁案内部材を載置台に着脱自在に取り付けるための取付構造として、前記載置台の先端部における前後の隅部に縦方向へ延びる嵌合穴形成部を設け、嵌合穴形成部の内側に下側へ行くにしたがって横断面積が小さくなるように嵌合穴を形成し、嵌合穴成形部の途中部に縦方向に延びる１対のガイド突部を相対向して突出形成し、嵌合穴成形部の下端に載置台の下端よりも一段高い段差部を形成し、前記包丁案内部材の下端部に嵌合穴形成部の嵌合穴に内嵌する差込部を設け、差込部の上端部に嵌合穴形成部の上面に係合する係合部を形成し、差込部の一側部にその基部から下端部まで延びる割り溝を形成して、割り溝により差込部を本体部と係止片とに分割し、本体部にガイド突部に凹凸嵌合するガイド溝部を縦方向に形成し、係止片の下端部に嵌合穴形成部の下面に係合する顎部を形成したものを好適に採用できる。更に、前記嵌合穴形成部を、２つの隅部をそれぞれ挟む載置台の２つの壁部と、該隅部に対面させて載置台の内側に配置した隔壁部とで構成し、該隅部に縦方向に延びる開口部を形成して、開口部に臨む載置台の２つの壁部の端部でガイド突部を形成することも好ましい実施例である。
【発明の効果】
【００１６】
本発明に係るスライス補助具によれば、ストッパーにより包丁案内部材からの突出量を一定に保った状態でスライス対象物を包丁案内部に沿ってスライスでき、しかもスライス対象物の硬軟、弾力の有無などの性質に合せて使いやすい刃物を選んでスライスできるので、ハムや食パンなどの各種スライス対象物を一般家庭でも包丁等の刃物を用いて手軽に且つ均一な厚さに薄切りすることができる。また、スライス後、包丁によりストッパーを押し下げることで、切り分けられたスライス対象物が自動的にストッパーから外れるので、いちいち手を止めなくても連続してスライス対象物をスライスすることが可能となる。
【００１７】
ここで、前記ストッパーの両側に、載置台の一側面との間に包丁の先端部を逃がす溝部を有し、載置台から一側方へ突出したスライス対象物を下側から受け止める受部を形成すると、包丁案内部材から一側方へ突出するスライス対象物、即ち切り分けられるスライス対象物を下側から受部で受け止めながら、スライス対象物をスライスできるので、スライス対象物が柔らかいものや弾力性を有するものであった場合でも、これらのスライス対象物を安定性よく綺麗にスライスすることができる。
【００１８】
前記載置台から一側方へのストッパーの突出量を調整する厚さ調整手段を設けると、ストッパーの突出量の調整により、スライス対象物を好みに応じた任意の厚さにスライスすることができる。
【００１９】
前記門型の包丁案内部材に代えて、載置台の一端部にスライス対象物が挿通可能な間隔をあけて門柱状の前後１対の包丁案内部材を立設固定すると、包丁案内部材を載置台に対して着脱自在に構成した場合に、門型の包丁案内部材と比較して包丁案内部材をコンパクトに収納することができる。
【００２０】
前記載置台にスライス対象物を前後方向に位置規制しつつ左右方向にスライド自在に案内する前後１対の案内壁を設けると、前後の案内壁間にスライス対象物を安定的に保持した状態で、該スライス対象物をスライスできるので、サイズの異なるスライス対象物はいうまでもなく、硬さや弾力の違うさまざまなスライス対象物を綺麗に薄くスライスすることが可能になる。
【００２１】
前記前後１対の案内壁を相互に接近する方向と相互に離間する方向とに移動自在に連動連結して、両案内壁の間隔を調整する間隔調整手段を設けると、前後の案内壁間隔をスライス対象物のサイズに応じて素早く調整できるので、スライス補助具の操作性を向上できる。
【００２２】
前記包丁案内部材と案内壁の少なくとも一方を載置台に対して着脱自在に設けると、デリバリー時の梱包容積を減容出来、ハム等のギフトにセットして販売するときに都合がよい。
【００２３】
前記包丁案内部材を載置台に着脱自在に取り付けるための取付構造として、前述のような嵌合穴形成部と差込部とを設けると、係止片の顎部を嵌合穴形成部の下面に係合させて、包丁案内部材を抜け止めしつつ、差込部の本体部に形成したガイド溝と嵌合穴形成部に形成したガイド突部との凹凸嵌合により、包丁案内脚の前後左右への横揺れを効果的に防止できる。つまり、従来の嵌合構造では、ガイド溝とガイド突部がないので、係止片の弾性変形により包丁案内部材が横揺れするが、本発明ではこれを効果的に防止することができる。これにより、包丁案内部材のスライス対象物に対する角度を一定に保てるため、スライス対象物を安定性よく均一な厚みで薄くスライスすることが可能となる。
【００２４】
前記嵌合穴形成部を、２つの隅部をそれぞれ挟む載置台の２つの壁部と、該隅部に対面させて載置台の内側に配置した隔壁部とで構成し、該隅部に縦方向に延びる開口部を形成して、開口部に臨む載置台の２つの壁部の端部でガイド突部を形成すると、包丁案内部材を載置台の縁部に配置させることができ、しかも包丁案内脚部の側面と載置台の側面とを面一に構成できるので、スライス補助具の外観が低下することもない。
【発明を実施するための最良の形態】
【００２５】
以下、本発明の実施の形態について、図面を参照しながら説明する。尚、本実施例では、右利きの人が包丁でスライス対象物をスライスするときにおける、スライサー補助具の前後左右を基準に前後左右を定義して説明する。
【００２６】
図１〜図５に示すように、スライス補助具１は、塊状のスライス対象物２を左右方向にスライド自在に載置する載置台１０と、包丁３を上下方向に案内するために載置台１０の右端部に着脱自在に嵌合固定した倒立Ｕ字状の包丁案内部材２０と、載置台１０上にセットしたスライス対象物２を前後方向に位置規制しつつ左右方向にスライド自在に案内する前後１対の案内壁３１と、両案内壁３１の間隔を調整するための間隔調整手段３０と、スライス対象物２の右端部に当接するストッパー４１を有し、ストッパー４１の位置を左右方向に調整することでスライス対象物２のスライス厚さを設定する厚さ調整手段４０とを備えている。
【００２７】
このスライス補助具１では、図６に示すように、スライス対象物２のサイズに応じて間隔調整手段３０により案内壁３１間の間隔を調整するとともに、スライス厚さに応じて厚さ調整手段４０のストッパー４１の左右方向位置を調整した状態で、スライス対象物２を前後の案内壁３１間において載置台１０上にセットし、その右端部がストッパー４１に当接するまで、スライス対象物２を包丁案内部材２０の内側の開口部２１から右方へ突出させた状態で、包丁３の左面を包丁案内部材２０の右側の案内面２２ａに押し当てながら、包丁３を前後にスライドさせつつ下側へ移動させてスライス対象物２をスライスすることで、スライス対象物２を一定厚さのスライス対象物２Ａに切り分けることができる。
【００２８】
このスライス補助具１では、ナイフや包丁３等の刃物によりスライス可能な塊状のものであれば任意のものをスライスすることができ、例えばハム、ソーセージ、蒲鉾、チーズ、食パンなどの加工食品や、サツマイモ、大根、レモンなどの食品類をスライスすることができる。特に、このスライス補助具１をハム等の加工食肉のギフトにセットして販売すると、一般家庭でも薄切りハム等を手軽にスライスできるので好ましい。
【００２９】
載置台１０は、下面を開放させた扁平な中空の矩形平板状の部材で構成され、載置台１０の上壁部１１は略平坦に構成され、この上壁部１１にスライス対象物２をセットすることになる。
【００３０】
間隔調整手段３０について説明すると、図１〜図５に示すように、載置台１０の上壁部１１には左右方向の略全長に亙って延びる前後１対の案内壁３１が立設配置され、上壁部１１の前部及び後部には前後方向に細長い左右１対のガイド孔１２が形成されている。上壁部１１の上側には取付片３７がガイド孔１２に対応させて設けられ、取付片３７にはガイド孔１２を通って載置台１０内へ延びるガイド突起３２に下方へ突出状に設けられ、取付片３７はガイド突起３２に着脱自在に装着した係止片３３により、上壁部１１に対して抜け止めされるとともに、ガイド孔１２に沿って移動自在に取付けられている。各取付片３７には上方へ突出する連結突部３８がそれぞれ形成され、案内壁３１は左右の取付片３７の連結突起３８に対して着脱自在に固定され、左右の取付片３７を介してガイド孔１２に沿って前後方向に移動自在に上壁部１１に設けられている。
【００３１】
上壁部１１の下面略中央部には取付部１３が突出状に形成され、取付部１３には上下１対のリンク部材３４がその長さ方向の略中央部において回転自在に組付けられ、上下のリンク部材３４は操作ネジ３５により抜け止めされるとともに、操作ネジ３５を締め付けるにより回転不能に載置台１０に固定できるように構成されている。両リンク部材３４の両端部にはリンク部材３４の長さ方向に沿って延びる長孔３６が形成され、左前側の取付片３７のガイド突起３２と右後側の取付片３７のガイド突起３２とは一方のリンク部材３４の長孔３６にそれぞれ移動自在に装着され、右前側の取付片３７のガイド突起３２と左後側の取付片３７のガイド突起３２とは他方のリンク部材３４の長孔３６にそれぞれ移動自在に装着されている。
【００３２】
前後の案内壁３１の内面側は、ハムやソーセージ等の略円柱状のスライス対象物２を保持することを考慮して緩やかなＪ字状に形成されているが、食パンやチーズや羊かんなどの直方体状のスライス対象物２を保持させる場合には、上壁部１１に略直交する略平面状に形成することも可能である。
【００３３】
この間隔調整手段３０では、前後の案内壁３１が２本のリンク部材３４を介して連動連結され、一方の案内壁３１を操作することで、前後の案内壁３１が相互に接近する方向或いは相互に離間する方向へ移動して、スライス対象物２が載置台１０の前後方向の略中央部に位置決め保持されることになり、さまざまなサイズのスライス対象物２を簡単な操作により手軽にセンタリングすることができる。また、ハム等のスライス対象物２のギフトにスライス補助具１をセットして販売する場合には、前後の案内壁３１を取付片３７から取り外して、スライス補助具１をコンパクトに梱包できるように構成されている。
【００３４】
但し、この間隔調整手段３０以外の構成により案内壁３１を相互に接近する方向と相互に離間する方向とに連動連結してもよいし、リンク部材３４を省略して、前後の案内壁３１をそれぞれ独立に操作するように構成してもよい。また、案内壁３１を上壁部１１に対して差し込み式による凹凸嵌合で位置切換え可能に上壁部１１に固定して、包装時や収納時にコンパクトに折り畳めるように構成してもよい。更に、前後の案内壁３１を省略して、載置台１０の上壁部１１を前後方向の略中央部において窪ませた略Ｖ字状や円弧状やＵ字状の断面形状に形成し、上壁部１１によりスライス対象物２を前後方向にセンタリングできるように構成してもよい。
【００３５】
厚さ調整手段４０について説明すると、図１〜図４に示すように、上壁部１１の下面前部における前後方向の略中央部には下方へ突出する案内突部１４が形成され、案内突部１４の下面には左右方向に延びる案内溝１５が形成され、この案内溝１５には前方へ略水平に延びる弾性部材としての板バネ４２が前後方向に移動自在に設けられている。板バネ４２の左端部には左右方向に細長い調整孔４３が形成され、板バネ４２は、調整孔４３を挿通して案内突部１４に締結される操作ネジ４４により左右方向に位置調整可能に固定されている。
【００３６】
載置台１０には、その上壁部１１の右端部における前後方向の略中央部及び載置台１０の右壁部１６における前後方向の略中央部に連なって延びる切欠部４５が形成され、板バネ４２はこの切欠部４５を通って載置台１０よりも右側へ突出され、板バネ４２の右端部は上方へ折曲されている。板バネ４２の右部にはストッパー部材４６が取り付けられ、ストッパー部材４６の右端部には載置台１０の上壁部１１よりも上方へ延びるストッパー４１が一体的に設けられている。
【００３７】
この厚さ調整手段４０では、操作ネジ４４を緩めてストッパー部材４６とともに板バネ４２の左右方向位置を調整し、包丁案内部材２０から右方へ突出させるスライス対象物２の突出量を調整することで、切り分けるスライス対象物２Ａの厚さを好みの厚さに調整できる。また、スライス対象物２を包丁３によりスライスし、このスライス動作に連続させて包丁３の下端でストッパー部材４６を板バネ４２の付勢力に抗して下方へ押し下げることで、板バネ４２が右端側下がりに湾曲して、ストッパー４１の上端側が右側へ傾動し、包丁３と切り分けたスライス対象物２Ａ間に隙間が形成されて、切り分けたスライス対象物２Ａが自動的に右側へ排出することができ、切り分けたスライス対象物２Ａをいちいち手で取り除く必要がないので、複数枚のスライス対象物２Ａを連続的にスライスすることができる。ストッパー４１の上方への突出量は、切り分けたスライス対象物２Ａの排出が円滑になされるように、載置台１０の上面から３〜２０ｍｍ、好ましくは５〜１０ｍｍに設定されている。
【００３８】
切欠部４５の前後両側において載置台１０の右壁部１６の右側には、上面を上壁部１１の上面と略同じ高さに設定した受部４７が右側へ突出状に設けられ、この受部４７により包丁案内部材２０から右側へ突出したスライス対象物２を下側から受け止めることで、切り分けたスライス対象物２Ａの下端が残りのスライス対象物２につながった状態になることを防止して、スライス対象物２をスライス完了まで綺麗に切り分けることができる。また、受部４７の上部と載置台１０の右壁部１６間には包丁３の下端の逃がし溝４８が形成され、この逃がし溝４８に包丁３の下端を逃がすことで、包丁３の下端でストッパー４１を押し下げることができるように構成されている。
【００３９】
逃がし溝４８の溝幅は、一般に家庭で使われる刃物の厚みは１〜５ｍｍ程度であり、特に使用頻度の高い万能包丁３等は殆どが２ｍｍ程度の刃厚であることと、溝幅が広すぎるとスライス対象物２をスライスしたときにスライス済みのスライス対象物２Ａがストッパー４１と一緒に逃がし溝４８の中に落ち込んでしまうため、２〜３ｍｍ程度に設定することが好ましい。但し、この受部４７は、省略することも可能である。
【００４０】
包丁案内部材２０は、図１、図２に示すように、前後１対の脚部２３を有する倒立Ｕ字状の部材で、包丁案内部材２０は、前後の脚部２３の下端部を載置台１０の右端部の前後両端に嵌合させて載置台１０の上面に着脱可能に略垂直に固定されている。包丁案内部材２０の右側半部の外面に金属製の保護板２２が右側半部を覆うように設けられ、保護板２２の右面には包丁３を上下方向に案内する案内面２２ａが形成され、この案内面２２ａは載置台１０の右壁面と略面一或いは右壁面よりもやや右側に配置され、案内面２２ａに沿って包丁３を下側へ移動させたときに包丁３の下端が載置台１０に接触しないように構成されている。但し、前記包丁案内部材２０に代えて、２本の門柱状の包丁案内部材を載置台１０の右端部の前後両端に着脱可能に固定してもよい。
【００４１】
載置台１０に対する包丁案内部材２０の取付構造について説明すると、図２、図７、図８に示すように、載置台１０の右端部（先端部）における前後の隅部には縦方向へ延びる嵌合穴形成部５０が載置台１０と一体的に形成され、包丁案内部材２０の脚部２３の下端部には嵌合穴形成部５０に内嵌する差込部２４が一体的に形成され、包丁案内部材２０は前後の差込部２４を載置台１０の前後の嵌合穴形成部５０にそれぞれ内嵌合させて、載置台１０に着脱自在に組み付けられている。
【００４２】
次に、この取付構造を構成する嵌合穴形成部５０及び差込部２４について詳細に説明するが、前後に配置される嵌合穴形成部５０及び差込部２４は前後対称の構成なので、前側のものについて説明する。
【００４３】
嵌合穴形成部５０は、載置台１０の右端前部の隅部を挟む右壁部１６及び前壁部１７と、該隅部付近の内側において右壁部１６及び前壁部１７に連なる縦方向に延びる横断面視く字状の隔壁部５１とから構成されている。隅部には右前方へ開口する開口部５２が設けられ、嵌合穴形成部５０の横断面形状は、平面視略四角形の１つの隅部を、それを挟む２つの辺をその略２分の１のところで切り欠くことによって得られる、略Ｃ字状の袋穴状に形成されている。
【００４４】
嵌合穴形成部５０の内側には右前方に向けて開口し且つ下側へ行くにしたがって横断面積が小さくなるように嵌合穴５３が形成され、嵌合穴形成部５０のうちの嵌合穴５３の奥部から開口部５２側へ向かう途中部には、右壁部１６及び前壁部１７の開口部２１側の端部により、縦方向に延びるガイド突部５４が相対向して突出形成され、隔壁部５１の下端には載置台１０の下端よりも一段高い段差部５５が形成されている。
【００４５】
差込部２４の外面は嵌合穴５３の内面に適合するように下端側へ行くにしたがってその横断面積が小さくなるように構成され、差込部２４の上端部には嵌合穴形成部５０の上面に係合する鍔状の係合部２５が形成され、嵌合穴５３の奥部側に嵌合する差込部２４の一側部にはその基部から下端部まで延びる割り溝２６が形成され、差込部２４は割り溝２６により本体部２７と係止片２８とに分割されている。本体部２７にはガイド突部５４に凹凸嵌合する縦方向に延びるガイド溝部２９が形成され、係止片２８の下端部には隔壁部５１の下面に係合する顎部２８ａが形成されている。但し、差込部２４の下端側への傾斜を嵌合穴５３の壁面の傾斜より若干立てる様に構成すると、係止片２８の反発力により差込部２４の傾斜面が嵌合穴５３の傾斜面に密着するように押し付けられ、包丁案内部材２０を載置台１０に強固に組み付けることができる。
【００４６】
この取付構造では、割り溝２６の内側に係止片２８を弾性変形させながら、差込部２４を嵌合穴５３に差し込むことで、差込部２４が嵌合穴５３に内嵌合して、包丁案内部材２０が載置台１０に立設され、顎部２８ａが隔壁部５１の下端に係合するとともに、係合部２５が嵌合穴形成部５０の上面に係合することにより、包丁案内部材２０が載置台１０に上下方向に移動不能に取付けられる。また、差込部２４を嵌合穴５３に内嵌合させた状態で、嵌合穴形成部５０のガイド突部５４が本体部２７のガイド溝部２９に、横揺れしないように上下方向にのみ移動自在に嵌合するので、係止片２８の弾性変形による包丁案内部材２０の横揺れを確実に防止できる。更に、包丁案内部材２０の門型に構成し、前後の脚部２３の上端部を連結しているので、これによっても包丁案内部材２０の前後方向への横揺れが規制されることになる。
【００４７】
尚、取付構造としては、嵌合穴に縦方向に延びるガイド突部又はガイド溝部を対面させて形成し、差込部にその基部から下端部まで延びる割り溝を形成して、強度剛性を有する本体部と弾性変形可能な係止片とに差込部を分割構成し、本体部に嵌合穴のガイド突部又はガイド溝部に嵌合するガイド溝部又はガイド突部を形成したものであれば、嵌合穴及び差込部の横断面形状やガイド突部とガイド溝部の横断面形状は任意に設定することが可能である。例えば、嵌合穴として、２つの丸穴をその一部を重ねて形成することで、途中部がくびれた長穴を形成し、この長孔のくびれ部分を縦方向に延びる１対のガイド突部として活用することもできる。また、この取付構造は、厚さ調整手段や間隔調整手段を備えていないスライス補助具に対しても適用できるし、嵌合穴に差込部を凹凸嵌合させて２つの部材を結合可能となした取付構造を有するものであれば、スライス補助具以外の各種機器の取付構造に対して適用できる。
【図面の簡単な説明】
【００４８】
【図１】スライス補助具の斜視図
【図２】スライス補助具の分解斜視図
【図３】スライス補助具の平面図
【図４】スライス補助具の底面図
【図５】図３のＡ−Ａ線断面図
【図６】スライス補助具の使用方法の説明図
【図７】載置台に対する包丁案内部材の取付構造を示す分解斜視図
【図８】(ａ)は図７のＢ−Ｂ線断面図、（ｂ）は組立状態における同線断面図
【符号の説明】
【００４９】
１      スライス補助具    ２      スライス対象物
２Ａ    スライス対象物    ３      包丁
１０    載置台            １１    上壁部
１２    ガイド孔          １３    取付部
１４    案内突部          １５    案内溝
１６    右壁部            １７    前壁部
２０    包丁案内部材      ２１    開口部
２２    保護板            ２２ａ  案内面
２３    脚部              ２４    差込部
２５    係合部            ２６    割り溝
２７    本体部            ２８    係止片
２８ａ  顎部              ２９    ガイド溝部
３０    間隔調整手段      ３１    案内壁
３２    ガイド突起        ３３    係止片
３４    リンク部材        ３５    操作ネジ
３６    長孔              ３７    取付片
３８    連結突起
４０    厚さ調整手段      ４１    ストッパー
４２    板バネ            ４３    調整孔
４４    操作ネジ          ４５    切欠部
４６    ストッパー部材    ４７    受部
４８    逃がし溝
５０    嵌合穴形成部      ５１    隔壁部
５２    開口部            ５３    嵌合穴
５４    ガイド突部        ５５    段差部
【図１】
2005288567.tif 000003
【図２】
2005288567.tif 000004
【図３】
2005288567.tif 000005
【図４】
2005288567.tif 000006
【図５】
2005288567.tif 000007
【図６】
2005288567.tif 000008
【図７】
2005288567.tif 000009
【図８】
2005288567.tif 000010